(57)【要約】【課題】拭き掃除による手入れが容易であり、ノズル開口の内端と局部洗浄ノズルとの間の隙間より汚物等が内部に侵入し難い局部洗浄装置を提供する。【解決手段】ボウル部１１の後部内面１１ａに形成されるノズル開口３と、その後方のノズル収納部１４と、ノズル収納部１４から前進してボウル部１１内に突出したり後退してノズル収納部１４に収納されたりするノズル２（局部洗浄ノズル）を備える。ノズル２の前端部に、断面積がノズル２のボウル部１１内に突出する他の部分よりも大きいカバー部２５を形成する。ノズル開口３は、ボウル部１１の後部内面１１ａから後方にカバー部２５の厚みと略同じ長さまでの部分を、断面形状がカバー部２５と略同じであるカバー形状部３１とし、カバー形状部３１の後方に、ノズル２のボウル部１１内に突出するカバー部２５以外の部分が挿通され断面積がカバー部２５よりも小さい小形部３２を設ける。【選択図】        図１
2010196332.tif 000002
【特許請求の範囲】
【請求項１】
便器のボウル部の後部内面に形成されるノズル開口と、ノズル開口の後方に形成されボウル部内に連通するノズル収納部と、ノズル収納部から前進してノズル開口を介して前方のボウル部内に突出したりノズル開口を介して後方に後退してノズル収納部に収納されたりする局部洗浄ノズルを備え、局部洗浄ノズルの前端部に、前後方向に直交する断面積が局部洗浄ノズルのボウル部内に突出する他の部分よりも大きいカバー部を形成し、ノズル開口は、ボウル部の後部内面から後方にカバー部の厚みと略同じ長さまでの部分を、断面形状がカバー部と略同じであるカバー形状部とすると共に、カバー形状部の後方に、局部洗浄ノズルのボウル部内に突出するカバー部以外の部分が挿通され断面積がカバー部よりも小さい小形部を設けて成ることを特徴とする局部洗浄装置。
【発明の詳細な説明】
【技術分野】
【０００１】
本発明は、人体局部を洗浄するための局部洗浄装置に関するものである。
【背景技術】
【０００２】
従来から、局部洗浄ノズルより水や温水（以下では単に水という）を噴出し、人体局部を洗浄するための局部洗浄装置が用いられている（例えば特許文献１参照）。図４（ａ）に示す従来例では、局部を洗浄するための水を噴出する局部洗浄ノズル２は、便器のボウル部の後部内面１１ａに形成されたノズル開口よりボウル部内に向けて進退自在に収納される。
【０００３】
この従来例にあっては、局部洗浄ノズル２が収納されたノズル開口近傍には凹凸が多く、拭き掃除による手入れが面倒であった。
【０００４】
そこで、図４（ｂ）に示すようにノズル開口近傍に凹凸が少ない簡単な構造が開発された（例えば特許文献２参照）。
【先行技術文献】
【特許文献】
【０００５】
【特許文献１】特開２００７−１９１９０１号公報
【特許文献２】実開昭５９−４３５７４号公報
【発明の概要】
【発明が解決しようとする課題】
【０００６】
しかしながら、図４（ｂ）に示す従来例にあっては、ノズル開口３の内端と局部洗浄ノズル２との間の隙間より汚物等が内部に侵入してしまうという問題があった。
【０００７】
本発明は上記従来の問題点に鑑みて発明したものであって、その目的とするところは、拭き掃除による手入れが容易であると共に、ボウル部の後部内面に形成されるノズル開口の内端と局部洗浄ノズルとの間の隙間より汚物等が内部に侵入し難い局部洗浄装置を提供することを課題とするものである。
【課題を解決するための手段】
【０００８】
上記課題を解決するために、本発明は、以下のような構成とする。
【０００９】
便器１のボウル部１１の後部内面１１ａに形成されるノズル開口３と、ノズル開口３の後方に形成されボウル部１１内に連通するノズル収納部１４と、ノズル収納部１４から前進してノズル開口３を介して前方のボウル部１１内に突出したりノズル開口３を介して後方に後退してノズル収納部１４に収納されたりする局部洗浄ノズル２を備える。局部洗浄ノズル２の前端部に、前後方向に直交する断面積が局部洗浄ノズル２のボウル部１１内に突出する他の部分よりも大きいカバー部２５を形成する。ノズル開口３は、ボウル部１１の後部内面１１ａから後方にカバー部２５の厚みと略同じ長さまでの部分を、断面形状がカバー部２５と略同じであるカバー形状部３１とすると共に、カバー形状部３１の後方に、局部洗浄ノズル２のボウル部１１内に突出するカバー部２５以外の部分が挿通され断面積がカバー部２５よりも小さい小形部３２を設けて成ることを特徴とする。
【発明の効果】
【００１０】
本発明は、カバー部の前面がボウル部の後部内面と面一となって、拭き掃除による手入れを容易に行うことができる。また、カバーの後方に小形部が形成してあるため、ノズル開口の内端と局部洗浄ノズルとの間の隙間より汚物等が侵入しても、小形部でそれ以上の侵入が阻止され、内部まで侵入し難い。
【図面の簡単な説明】
【００１１】
【図１】本発明の一実施形態を示し、（ａ）は要部斜視図であり、（ｂ）は要部断面図である。
【図２】同上の給水経路の説明図である。
【図３】同上の局部洗浄ノズルの動作を説明する説明図であり、（ａ）は前進した状態を示す断面図であり、（ｂ）は後退した状態を示す断面図である。
【図４】（ａ）は第一の従来例の要部斜視図であり、（ｂ）は第二の従来例の要部断面図である。
【発明を実施するための形態】
【００１２】
以下、本発明を添付図面に示す実施形態に基いて説明する。
【００１３】
局部洗浄装置は、人体の局部の洗浄を行う機構を有する局部洗浄装置本体と、局部の洗浄の際に使用者が洗浄方法等を操作する操作手段としての操作スイッチ部と、局部を洗浄するための水を噴出する局部洗浄ノズル２と、給水弁５１や温水ヒーター５２等の制御を行う制御部で構成され（図２参照）、便器１に設けられる。
【００１４】
図１に示すように、便器１は、ボウル部１１と、ボウル部１１の上端に形成されるリム部１２とを備え、リム部１２の上面に起倒自在に載置される便座１３および便蓋（図示せず）の後端部がボウル部１１の後部の上端部に枢支され、ボウル部１１の後方（使用者が便座に着座したときの背面側）の内部に局部洗浄装置本体が収納される。ボウル部１１の後部内面１１ａにはノズル開口３が形成されると共に、ノズル開口３の後方にボウル部１１内に連通するノズル収納部１４が形成され、局部洗浄装置本体の前端部に設けられる局部洗浄ノズル２が前記ノズル収納部１４に配設される。ノズル開口３については後で詳述する。
【００１５】
局部洗浄装置本体は、図２に示すように、水道等の水源４と前記局部洗浄ノズル２とを結んで、その途中に給水弁５１と、温水ヒーター５２と、給水ポンプ５３を設けた給水経路５と、人体の局部を洗剤洗浄するための洗剤を前記給水経路５に供給するための洗剤供給経路６１および洗剤供給手段と、前記洗剤供給手段からの洗剤を給水経路５に注入して水と混合するため該給水経路５に配設される洗剤注入口としての洗剤混合分岐栓５４と、水が洗剤供給経路６１に入ることを防ぐための逆止弁６２とを備えている。洗剤供給手段は、洗剤を貯えるためのタンクである洗剤保持部６３と、前記洗剤を吸引して洗剤混合分岐栓５４に搬送するための洗剤ポンプ６４とで構成される。なお、本実施形態ではこのように洗剤を供給するための構成を備えた例として説明するが、特に備えていなくてもよいものである。
【００１６】
局部洗浄ノズル２は、図２に示すように本実施形態では複数設けられていて、例えばお尻を目標として洗浄水（水のみ、または洗剤等の洗剤入りの水）を噴出するお尻洗浄ノズル２ａと、女性の局部を目標として洗浄水を噴出するビデ洗浄ノズル２ｂ等が挙げられ、前記複数の局部洗浄ノズル２への洗浄水の流路切換手段２ｃを備えている。
【００１７】
局部洗浄ノズル２は、局部に向けて水を噴出する噴出口２０を備え、使用時にノズル収納部１４から前進してノズル開口３を介して前方のボウル部１１内に突出させるもので、内部が水の流路となるシリンダ部２１に突没自在に設けられた本体部２２の先端に形成され、便器１に固定されるシリンダ部２１に対して本体部２２を前方に突没させることで突没自在としてある。シリンダ部２１の前方側の端部と本体部２２の後端部に形成したフランジ部２３間にばね２４を介在させて本体部２２がシリンダ部２１に対して後方に付勢してある。これにより、局部洗浄ノズル２の使用時に、洗浄装置本体内の給水ポンプ５３にて局部洗浄ノズル２に温水を搬送する際の水圧にて本体部２２のフランジ部２３がばね２４のばね力に抗して前方に押され、本体部２２が前方に伸びることとなる（図３（ａ）参照）。そして、使用後に温水の搬送を停止すると、ばね２４の復元力によって本体部２２はノズル開口３を介して後方に後退してノズル収納部１４に収納される（図３（ｂ）参照）。
【００１８】
そして局部洗浄装置本体の給水弁５１と温水ヒーター５２と洗剤ポンプ６４、操作スイッチ部、流路切換手段２ｃは制御部に接続されて該制御部によって制御される。
【００１９】
使用者は、用を足した後に操作スイッチ部から洗浄方法を入力し、例えば洗浄操作キーを操作して「水洗浄」を選択した場合には、洗剤ポンプ６４は停止した状態で水源４から水が給水経路５を通って局部洗浄ノズル２より人体局部に噴出され、剤洗浄開始操作キーを操作して「洗剤洗浄」を入力した場合には、洗剤ポンプ６４を駆動した状態で、上記洗剤混合分岐栓５４から洗剤が混入されて洗剤入の温水が局部洗浄ノズル２より人体局部に噴出される。
【００２０】
本発明は局部洗浄ノズル２の収納構造に特徴を有するもので、局部洗浄ノズル２とノズル開口３とについて図１（ｂ）に基づいて説明する。
【００２１】
局部洗浄ノズル２の前端部には、前後方向に直交する断面積が、局部洗浄ノズル２のボウル部１１内に突出する他の部分よりも大きいフランジからなるカバー部２５が形成してある。これに対応して、ノズル開口３は、ボウル部１１の後部内面１１ａから後方に前記カバー部２５の厚みと略同じ長さまでの部分を、断面形状がカバー部２５と略同じであるカバー形状部３１とすると共に、カバー形状部３１の後方に、局部洗浄ノズル２のボウル部１１内に突出するカバー部２５以外の部分（すなわちシリンダ部２１）が挿通され断面積がカバー部２５よりも小さい小形部３２が設けてある。本実施形態では、ボウル部１１は所定の厚みを有していて、ボウル部１１の内表面側にカバー形状部３１が形成してあり、ボウル部１１の裏面側に小形部３２が形成してあり、その後方はノズル収納部１４を含む局部洗浄装置本体の収納空間となっている。
【００２２】
これにより、局部洗浄ノズル２が後退してノズル収納部１４に収納された時、カバー部２５がノズル開口３のカバー形状部３１に収納され、カバー部２５の前面がボウル部１１の後部内面１１ａと面一となって、拭き掃除による手入れを容易に行うことができる。
【００２３】
また、カバー２５の後方に小形部３２が形成してあるため、ノズル開口３の内端と局部洗浄ノズル２との間の隙間より汚物等が侵入しても、小形部３２でそれ以上の侵入が阻止され、内部まで侵入し難い。
【符号の説明】
【００２４】
１    便器
１１  ボウル部
１１ａ  後部内面
１２  リム部
１３  便座
１４  ノズル収納部
２    局部洗浄ノズル
２ａ  お尻洗浄ノズル
２ｂ  ビデ洗浄ノズル
２ｃ  流路切換手段
２０  噴出口
２１  シリンダ部
２２  本体部
２３  フランジ部
２４  ばね
２５  カバー部
３    ノズル開口
３１  カバー形状部
３２  小形部
４    水源
５    給水経路
５１  給水弁
５２  温水ヒーター
５３  給水ポンプ
５４  洗剤混合分岐栓
６１  洗剤供給経路
６２  逆止弁
６３  洗剤保持部
６４  洗剤ポンプ
【図１】
2010196332.tif 000003
【図２】
2010196332.tif 000004
【図３】
2010196332.tif 000005
【図４】
2010196332.tif 000006